(57)【特許請求の範囲】
【請求項１】
第１と第２のＷＤＭと；
各ＷＤＭの送受信信号のための光学リンクと、；
カードエッジコネクタにおいて第１のＷＤＭの背面板に接続されるＣＰＵカードと；
を有するＷＤＭ光学システムであって、
各ＷＤＭはマルチプレクサとデマルチプレクサを持つ回路を有し、
各ＷＤＭは、複数の分離された光学/電気変換器を有し、
前記光学/電気変換器はカードエッジコネクタを含む電気的インターフェースの背面板
に接続するものであって、
各光学/電気変換器は、前記回路と着脱可能に接続されて、共通フォーマット信号を送
受信するように構成されて、分離された波長で動作し、
前記共通フォーマット信号は、前記複数の分離された光学/電気変換器の各光学/電気変
換器に対し同一フォーマットを有し、各電気的インターフェースは、所望の波長で動作
する光学/電気変換器を識別する特徴を有するものであり、
各ＷＤＭは、複数の分離された電気/電気変換器を有し、前記電気/電気変換器は前
記光学／電気変換器の１に、カードエッジコネクタにおいて直接および着脱可能に接続
され、電力を受け取り、共通フォーマット信号を送受信し、各電気/電気変換器は入出
力ロケーションを有して、ネイティブプロトコールメディア信号と共通フォーマット信
号との間の変換を行うように構成される光学リンクと、
前記ＣＰＵカードは、コマンドと制御信号を各光学／電気変換器及び、前記第１Ｗ
ＤＭの電気／電気変換器に送信し、第２ＷＤＭと通信するように構成されていることを
特徴とするＷＤＭ光学システム。
【請求項２】
スプリッタ回路を更に有し、前記スプリッタ回路において、前記光学リンクはデュアル光学リンクを有し、２つの送信と２つの受信の信号伝送路が設けられている請求項１に記載のＷＤＭ光学システム。
【請求項３】
前記背面板は、分離された光学/電気変換器に着脱可能に接続するための２つの光学ポートを有する請求項１に記載のＷＤＭ光学システム。
【請求項４】
前記電気/電気変換器は同軸信号を共通フォーマット電気信号に変換する、請求項１に記載のＷＤＭ光学システム。
【請求項５】
前記電気/電気変換器はツィストペア信号をコモンフォーマット電気信号に変換する請求項１に記載のＷＤＭ光学システム。
【請求項６】
前記電気/電気変換器は光学信号をコモンフォーマット電気信号に変換する請求項１に記載のＷＤＭ光学システム。
【請求項７】
入力電力ポート、制御信号ポート、及び、光学/電気変換カードとインターフェー スするための複数の光学インターフェースポートを有し、各光学インターフェースポー トは電力ポート、制御ポート及び少なくとも１つの光学ポートを有する１の背面板であ って、所望の波長で動作する光学/電気変換カードの識別する特徴を更に有する１の背 面板と、
光学的インターフェースポートに対応する背面板インターフェース ポーションを
有し、電力ポート、制御信号ポート及び少なくとも１つの光学ポートを有する複数の光
学/電気カードであって、
その各光学/電気カードは、コモンフォーマット信号と光学信号との間の変換のた
めの光学/電気変換回路を含み、その各光学/電気カードは、電力ポート、制御信号ポー
ト及び少なくとも１つの電気ポートを含む電気インターフェースポートを有し、前記コ
モンフォーマット信号は別の(separate)複数の光学／電気変換カードの各カードに対し
同一フォーマットを持つことを特徴とする、複数の光学/電気カードと、
前記電気的インターフェースポートと直接的に着脱可能に接続するためカードエ
ッジコネクタを含む後部インターフェースポーションを有し、又、電力ポート、制御信
号ポート及び少なくとも１つの電気ポートを有する複数の電気/電気カードであって、
その各々はネイティブ プロトコール メディア信号とコモンフォーマット信号との間の
変換のための電気/電気変換回路を有し、各電気/電気カードは少なくとも１つの主要信
号ポートを持つメディアインターフェースポートを有する複数の電気/電気カードと、
カードエッジコネクタにおいて背面板に接続されるＣＰＵカードであって、コマ
ンドと制御信号を各光学／電気カード及び各電気／電気カードに送信し、ＷＤＭシャー
シから遠隔にあるＷＤＭシステムと通信するように構成されているＣＰＵカードと,
を有するＷＤＭシャーシ。
【請求項８】
少なくとも１つの主要信号ポートは同軸ポートである請求項７に記載のＷＤＭシャーシ。
【請求項９】
少なくとも１つの主要信号ポートはツィストペア ポートである請求項７に記載のＷＤＭシャーシ。
【請求項１０】
少なくとも１つの主要信号ポートは光学ポートである請求項７に記載のＷＤＭシャーシ。
【請求項１１】
背面板は第１のプレーンを規定し、光学/電気カードは第１プレーンに横断的な第２のプレーンを規定する請求項７に記載のＷＤＭシャーシ。
【請求項１２】
電気/電気カードは第２のプレーンに平行な第３のプレーンを規定する請求項11に記載のＷＤＭシャーシ。
【請求項１３】
背面板はシャーシハウジングの後部を規定し、光学/電気カード及び電気/電気カードはシャーシハウジングの前面開口部で受け入れられるシャーシハウジングを更に有する請求項１２に記載のＷＤＭシャーシ。
【請求項１４】
シャーシとマルチプレクサを持つ回路を有する第１ＷＤＭと、
シャーシとデマルチプレクサを持つ回路を有する第２ＷＤＭと、
第１のＷＤＭから多重化された光学信号を送信し、第２ＷＤＭが受信するための光学リンクと、
を有するＷＤＭ光学システムであって、
各ＷＤＭは、シャーシ毎に受け入れられる別々の光学/電気変換カードを複数有し、各光学/電気変換カードはシャーシの背面板に接続し、分離された波長で（at separate wavelength）動作し、主要信号を送受信し、各光学／電気変換カードは前記背面板を介して前記回路と着脱可能に構成され、前記背面板は所望の波長で動作する光学/電気変換カードを識別する特徴を有し、
各ＷＤＭは、シャーシ毎に受け入れられる別々の主要信号/電気変換カードを複数有し、各主要信号/電気変換カードはカードエッジコネクタにおいて前記光学/電気変換カードの１つと着脱可能に直接接続され、電力を受け取り、主要信号を介して通信し、
各主要信号/電気変換カードは主要信号ポートを含み、主要信号とネイティブプロトコールメディア信号との間の変換を行うように構成され、前記主要信号は複数の別々の光学／電気変換器の各々に対し同一フォーマットをもち、
前記第１ＷＤＭは、更に、カードエッジコネクタにおいて背面板に接続されたＣＰＵカードを有し、
前記ＣＰＵカードはコマンドと制御信号を各光学／電気変換カード及び、各電気／電気変換器カードに送信し、第２ＷＤＭと通信するように構成されている、
ことを特徴とするＷＤＭ光学システム。
【請求項１５】
前記主要信号/電気変換カードは、同軸、ツィストペア、及び光学信号のうちの１つと、ＮＲＺＩフォーマット信号との間で変換し、
各主要信号/電気変換カードは、ＮＲＺＩフォーマットと光学信号との間で変換し、その変換は、それぞれのマルチプレシングとデマルチプレクシングのために選択された波長の１つにおいて、第１と第２のＷＤＭのそれぞれのマルチプレクサとデマルチプレクサにより行われる、
請求項１４に記載のＷＤＭ光学システム。
【請求項１６】
マルチチャネル信号システムのためのマルチプレクシングとデマルチプレクシング回路を設け、
マルチチャネル信号システムの別の光学/電気変換カードに関連する光の個別の波長で（at distinct wavelength）光学信号を送受信するように選択された複数の光学/電気変換カードを背面板を介して前記回路に対応させ、
但し、前記背面板は所望の波長で動作する光学/電気変換器識別を識別する特徴を有し、
カードエッジコネクタにおいて前記光学/電気変換カードの選択された１つに電気/電気変換カードを着脱可能に直接的に対応させ、
電力を受け取り、光学／電気変換カードの中から選択された１と通信し、電気/電気変換カードは第１のフォーマットのネイティブ プロトコール メディア信号を送受信し、前記信号を第２の共通フォーマット信号に変換し、第２の電気フォーマット信号が前記選択された光学/電気変換カードの光の個別の波長で（at distinct wavelength）光学信号に変換され、前記共通フォーマット信号は、前記複数の分離した光学/電気変換器の各光学/電気変換器に対し同一フォーマットを有し、
ＣＰＵカードを背面板に対応させ、
但し、前記ＣＰＵカードは、コマンドと制御信号を各光学／電気変換カード及び、前記電気／電気変換カードに送信し、遠隔ＷＤＭと通信するように構成されている
ことを含むマルチチャネル信号システム管理の方法。
【請求項１７】
前記電気/電気変換カードは同軸ネイティブ プロトコール メディア信号を送受信することを特徴とする請求項１６に記載の方法。
【請求項１８】
前記電気/電気変換カードはツィストペア ネイティブ プロトコール メディア信号を送受信することを特徴とする請求項１６に記載の方法。
【請求項１９】
前記電気/電気変換カードは光学ネイティブ プロトコール メディア信号を送受信することを特徴とする請求項１６に記載の方法。
【発明の詳細な説明】
【技術分野】
【０００１】
本発明は波長分割多重光学ネットワークに関する。
【背景技術】
【０００２】
波長分割多重（ＷＤＭ）光学ネットワークは、多重波長の光が空間的に分散され、光の各波長が他の波長から空間的に分離されるものとして知られている。異なる長さの波長を持つ複数の信号はシングル ファイバ オプティック ケーブルで伝送するために組合せられる（combined）。大きな通信需要を持つバックボーン ネットワークのような光学的伝送システムに対し、多重化度を高めて複数の信号チャネルの光学周波数スペーシング（spacing）を減少させると容量が更に増加することが判明した。多重化度を高めたＷＤＭ処理は高密度波長分割多重（ＤＷＤＭ：dense WDM）と呼ばれている。又、大きな通信需要
がない光学伝送システムにおいては、多重化度を減少するために複数の信号チャネルの光学周波数のスペーシングを増加させることは公知である。これはシステム コンポーネントのコストを削減する効果がある。多重化度の低いＷＤＭ処理は低密度波長分割多重化（ＣＷＤＭ：coarseWDM）と呼ばれている。ＣＷＤＭシステムでは、安価な光学コンポーネントを使用することができる。
【０００３】
特にＣＷＤＭシステムにおいては、種々のメディア信号（同軸、ツィストペア（twisted pair:シールド及びアンシールド）と光学を含む）が取扱われる。ＣＷＤＭ′sを含むＷＤＭ′sはファイバネットワーク上のこれら伝送信号を処理するのに利用される。ファイバ オプティク ケーブル上のマルチモード信号の場合、ＷＤＭを使ってシングルモードファイバを含む多重化シングル ケーブルシステム上の伝送信号を処理することができる。
【発明の開示】
【発明が解決しようとする課題】
【０００４】
ネーティブ プロトコール メディア信号（同軸、ツィストペア、マルチモード オプティカル）をシングルファイバ オプティク ケーブル上の多チャネル伝送の信号に変換するために、ＷＤＭ′sに関連付けられた変換回路（conversion circuitry）に対するニーズがある。更に、このシステムコンポーネントをモジュール化するニーズがある。特に、初期設定の間に生じる問題（concerns）及び、システムの変更と維持に向けて、システムコンポーネントをモジュール化するニーズがある。
【課題を解決するための手段】
【０００５】
（発明の要約）
本発明は、第１と第２のＷＤＭ′sとそれらの間の光学リンクを有するＷＤＭ光学システムと方法に関する。好ましくは、光学的リンクは送信信号伝送路（path）と受信信号伝送路を含む。各ＷＤＭはマルチプレクサとデマルチプレクサを複数のモジュラー要素(modular elements)に接続するための回路を有する。マルチプレクサとデマルチプレクサを含む通信のために、前記モジュラー要素は、ネイティブ プロトコール メディア信号とコモンフォーマット信号との間を変換するための第１のモジュールの組と、別々の波長（separate wavelengths）でコモンフォーマット信号と光学信号との間の変換のための第２のモジュールの組を有する。
【０００６】
１つの好ましい実施例において、ＷＤＭ’Ｓは入力電力ポート、制御信号ポート、複数の光学的インターフェースポート（光/電気変換モジュール又はカードとインターフェースするための）を有する背面板（back plane）を有する。各光学インターフェースポートは電力ポート、制御信号ポート、及び少なくとも１つの光学ポートを有する。各光/電気カード（optical to electrical card）は、電力ポート、制御信号ポート、及び、少なくとも１つの背面板の光学インターフェースポートの光学ポートに対応するための背面板インターフェース部分を有する。光/電気カードはコモンフォーマット信号と光学信号との間の変換を行う光/電気変換回路を有する。各光/電気カードは、電力ポート、制御信号ポート、及び、少なくとも１つの電気ポートを含む電気インターフェースポートを有する。電気インターフェースポートは電気/電気変換モジュール又はカードとインターフェースを行う。各電気/電気カードは、ネイティブ プロトコール メディア信号とコモンフォーマット信号との間を変換する電気/電気変換回路を有する。各電気/電気カードは、少なくとも１つの主要信号ポートを持つメディア インターフェースポートを有する。
【０００７】
ＷＤＭ’Ｓは、多重化された（multiplexed）出力と入力光学信号をスプリットしたり又は結合したりするために、光学的信号スプリッタを有する。前記スプリッタは光学システムの近端部（near end）と遠端部(far end)との間のデュアル伝送路保護（dual pathway protection）を提供する。
【発明を実施するための最良の形態】
【０００８】
図１には、ＷＤＭシステム１０が示されている。ネイティブ光学メディア又は銅メディア２０の複数のチャネルが、マルチプレクス/デマルチプレクスされた（multiplexed/demultiplexed）光学リンク３０を介して、シングル光学パス上でネイティブ光学メディア又は銅メディア４０の複数のチャネルにリンクされている。近端の個別チャネル２２（本実施例では、１６チャネル（２２１ないし２２１６）で表わされている）は、光学伝送路３６，３８上で遠端チャネル４２（チャネル４２１ないし４２１６で表わされている）と通信を行う。図に示されているように、伝送路３６，３８は送受信信号伝送路を定義する。ＷＤＭ’ｓ３２，３４の近端部と遠端部は光学信号をマルチプレックス/デマルチプレックスするのに使われる。後記の通り、ＷＤＭ’ｓ３２，３４は、アセンブリの期間使用され、更にシステム変更又は修理のために後で使用可能なモジュラー要素を有している。
【０００９】
図２には、変更されたＷＤＭシステム１２が示されている。このシステムは、デュアルパス プロテクションを持つマルチプレクス/デマルチプレックス光学リンク５０を有している。ＷＤＭ’ｓ５２，５４はスプリティング機能（splitting function）と結合機能(combining function)を有し、ＷＤＭ’ｓ５２，５４の間の通信のためのデュアル伝送路を形成する。１つの伝送路が不具合になったときには、例えば、不注意に地下の１つの伝送路を切断するようなとき、このデュアル伝送路は有用である。一般的に、ＷＤＭ’ｓ３２、３４がスプリティング機能を持たない点を除けば、ＷＤＭ’ｓ５２，５４はＷＤＭ’ｓ３２、３４と同様である。
【００１０】
図３を参照すると、ＷＤＭ５２は、チャネル２２上のネイティブ プロトコール メディア信号と、伝送路５６，５７，５８，５９上の結合された（combined）多重化光学信号との間を変換する回路を有している。ＷＤＭ５２はマルチプレクシング／デマルチプレクシング回路６０を有している。以後、これをmux/demux回路６０という。mux/demux回路６０は、遠端の装置に送信するために別々のチャネルの光学信号を１つの信号に多重化する。mux/demux回路６０は遠端装置（far end equipment）から受信した１つの信号を別々のチャネルの光学信号にデマルチプレックスする。ＷＤＭ５２は、mux/demux回路６０とインターフェースする光学/電気変換回路９０を有する。ＷＤＭ５２は、更に電気/電気変換回路１００を有する。これは光学/電気変換回路９０とインターフェースするものである。変換回路９０，１００はネイティブ プロトコール メディア信号とmux/demux回路６０により伝送された光学信号との間で変換する。ＷＤＭ５４は同様の特徴を有し、２方向通信(two way communication)を可能にする。
【００１１】
好ましい実施例において、電気/電気変換回路１００はmux/demux回路６０に着脱可能に（removably）接続されている。又、好ましい実施例において、光学/電気変換回路９０はmux/demux回路６０に着脱可能に接続されている。尚、光学/電気変換回路９０は電気/電気変換回路１００に着脱可能に接続されていることが好ましい。種々の異なるプロトコール メディア信号はmux/demux回路６０を使って処理することが望ましい。適切な変換回路が選択され、電気/電気変換回路１００と光学/電気変換回路９０との間、及び、光学/電気変換回路９０とmux/demux回路６０との間の通信を行う。
【００１２】
ＷＤＭ５２の部品間で着脱可能な接続をする結果、少数部品で種々のネイティブ プロトコール メディア信号を取り扱うことが出来る。具体的には、ＷＤＭ５２に予想されているネイティブ プロトコール メディア信号のために電気/電気変換回路１００を選択することができる。ネイティブ プロトコール メディア信号はコモンフォーマット信号（例えばＮＲＺＩデジタルフォーマットのような）に変換することができる。光学/電気変換回路９０と関連した光学トランシーバはＮＲＺＩフォーマット信号を使って各チャネルに関係するレーザを変調する。光学/電気変換回路９０に関係するレーザはそれぞれ異なる波長で動作する。光学/電気変換回路９０に関連する受信器はmux/demux回路６０から光学信号を受信し、ＮＲＺＩフォーマット出力信号を生成し、電気/電気変換回路１００に送信する。
【００１３】
光学/電気変換回路９０を電気/電気変換回路１００から分離することにより、種々のグレードの光学装置（即ち、データレート、出力電力及び波長）を望む通り用いることができる。従って、DS3、OC3、10/100Ｍｂ/ｓイーサネット（登録商標）のようなローエンド アプリケーションにおいて、低コスト部品を使うことができる。
【００１４】
mux/demux回路６０は電力入力ポート６２を有する。同電力入力ポート６２は背面板６４に電力を供給する。背面板６４は回路ボードから構成される。同回路ボードは入力電力６２からの電力を各Ｏ/Ｅ変換カード９２にリンクするために適切な回路パス(path)を有する。背面板６４は光学カップラー、又は、各Ｏ/Ｅ変換カード９２のためのインターフェース６６、６８（例えばアダプタ）を有する。光学インターフェース６６，６８は光学信号伝送路（pathway）７０，７２を介してマルチプレクサ要素７４（マルチプレクサ７６又はデマルチプレクサ７８を含む）に通信する。スプリッタ回路８２を有する１：２スプリッタ８４，８６がマルチプレクサ７６又はデマルチプレクサ７８に接続され、デュアル光学伝送路を構成する。光学伝送路７７，７９はマルチプレクサ７６とデマルチプレクサ７８をそれぞれスプリッタ８４，８６に接続している。光学伝送路３６，３８，５６，５７５８，５９がシングルモード光学伝送路であることが好ましい。
【００１５】
各Ｏ/Ｅ変換モジュール又はカード９２は、背面板６４の光学インターフェース６６，６８へ連結するための光学リンク９６，９８（例えば、コネクタ）を有する。電気的インターフェース８０は背面板６４から各Ｏ/Ｅ変換カード９２への電気的リンク（例えば、各Ｏ/Ｅ変換カード９２が必要とする電力）を提供する。又、電気的インターフェース８０は背面板６４により処理され、送信される制御信号を各Ｏ/Ｅ変換カード９２へリンクする。
【００１６】
各Ｅ／Ｅ変換モジュール又はカード１０２は電気信号を各Ｏ/Ｅ変換カード９２と通信するための電気的リンク１０６，１０８を有している。同電気信号はmux/demux回路６０を介して伝送するために光学信号に変換される。各Ｅ／Ｅ変換カード１０２は、チャネル２２上のネイティブ プロトコール メディア信号を送信するための伝送路１２０、１２２を有している。電気的リンク１０４は各Ｅ／Ｅ変換カード１０２とこれに対応するＯ/Ｅ変換カード９２との間を接続し、Ｅ／Ｅ変換カード１０２が必要とする電力を運び、制御信号をＥ／Ｅ変換カード１０２に送信する。
【００１７】
図４には、背面板６４が示されている。これは、Ｏ/Ｅ変換カード９２のエッジコンタクト１３２に接続するカード エッジ コネクタ１３０を有している。カード エッジ コネクタ１３０とエッジコンタクト１３２は図３の電気的リンク８０を形成する。ファイバ オプティック コネクタ１３４，１３６は背面板６４の光学インターフェース６６，６８に接続する。なお、Ｏ/Ｅ変換カード９２は、背面板６４と接続可能であり、着脱可能である。Ｏ/Ｅ変換カード９２は回路ボード１４０を有している。同回路ボード１４０は回路１４２を有し、ファイバ オプティック コネクタ１３４，１３６において同Ｅ/Ｅ変換カード１０２からの電気信号を光学信号に変換する。例えば、ＤＦＢレーザがＯ/Ｅ変換カード９２で使用される。回路ボード１４０の回路１４２は更に、制御のため、及び、Ｏ/Ｅ変換カード９２で信号変換のために必要な電力を変換するための回路伝送路（circuit pathways）と要素（elements）を有する。また、回路伝送路と要素は回路ボード１４０上に設けられ、これはエッジ コンタクト１３２とカード エッジ コネクタ１４４とを連結する。
【００１８】
Ｏ/Ｅ変換カード９２上のカードエッジコネクタ１４４は、Ｅ/Ｅ変換カード１０２上のエッジコンタクト１４８に接続して、Ｅ/Ｅ変換カード１０２にリンクする。Ｅ/Ｅ変換カード１０２は、１つ又はそれ以上のコネクタ１２４を有し、ネイティブ プロトコール メディア信号に接続する。Ｅ/Ｅ変換カード１０２は回路ボード１５０を有し、回路１５２を持つ。この回路はコネクタ１２４とエッジコンタクト１４８の間で、ネイティブ プロトコール メディア信号をコモンフォーマット（例えば、NRZI）に変換するためのものである。本システムにおいては、ネイティブ プロトコール メディア信号は同軸又はツィストペア（シールドされた又はシールドされていない）を含む。又、ネイティブ プロトコール メディア信号はマルチモードのような光学信号を含むことが予想される。回路ボード１５０の回路１５２は、コネクタ１２４とエッジコンタクト１４８との間の信号変換のために使う電力変換のための回路伝送路と要素を有する。又、回路伝送路と要素は回路ボード１５０上に設けられ、背面板６４から受信した制御信号を受信処理する。
【００１９】
図５には、シャーシ構造２７０から取り出された２つの光学/電気変換カード９２が示されている。各変換カード９２は異なる波長で動作する。シャーシ構造２７０は回路カードとシステム１０の部品を保持するためのハウジング２８０を有する。ハウジング２８０はオープンフロント２８２と内部ガイド２８４を有し、回路カードをガイドする。背面板６４は、シャーシ構造２７０のバックグラウンド２８６に隣接している。シャーシ構造２７０は、ラックであるか、又は、他のシステム キャビネット又はフレームに設けることができる。
【００２０】
光学/電気変換カード９２は、シャーシ構造２７０の前面開口部２８２に挿入される。各光学/電気変換カード９２のリアエンドは、エッジコンタクト１３２とファイバ オプティク コネクタ１３４，１３６を有し、垂直に設けられた背面板６４とインターフェースする(interface)。光学/電気変換カード９２のフロントエンド９５において、カードエッジ コネクタ１４４は電気/電気変換カード１０２とインターフェースするように並列に配置される。Ｅ／Ｅ変換カード１０２のバックエンド１０４に隣接してエッジコンタクト１４８はカード エッジ コネクタ１４４とインターフェースするように配置される。コネクタ１２４はＥ／Ｅ変換カード１０２のフロントエンド１０５に設けられる。Ｏ/Ｅ変換カード９２とＥ/Ｅ変換カード１０２がシャーシ構造２７０に完全に挿入されるときに、コネクタ１２４はシャーシ構造２７０のフロント面２８８に沿って存在し、他のシステム（例えば遠端ＷＤＭ５４を含む）部品への信号伝送のために背面板６４に連結される。
【００２１】
図５は、Ｅ／Ｅ変換カード１９０の第２の実施例を示す。Ｅ／Ｅ変換カード１９０は異なるネイティブ プロトコール フォーマットの信号を扱うのに使われる。Ｅ／Ｅ変換カード１０２のコネクタ１２４は、例えば、同軸信号又はＨＤＴＶ信号のために同軸である。Ｅ／Ｅ変換カード１９０は、ツィストペア ケーブルのためにフロントポート２５２を有する。特に、ポート２５２はＲＪスタイル ジャックとして構成されている。ボード２５０上の回路はポート２５２とエッジコンタクト１４８とをつなぐ。
【００２２】
シャーシ構造２７０は、別のシステム部品に接続するための他のポート３０４、３０６、３０８を持つＣＰＵカード３００を有する。ＣＰＵカード３００は、背面板６４に接続するためにエッジコンタクト１４８と同様な（例えば、カード エッジ コネクタ１３０のようなカード エッジ コネクタ）リア インターフェース（図５には図示していない）を有する。ＣＰＵ制御信号は、背面板を介して、ＣＰＵカード３００からＯ／Ｅ変換カード９２とＥ／Ｅ変換カード１０２にリンクされる。ＣＰＵカード３００はコマンドと制御信号を各Ｏ／Ｅ変換カード９２、及びＥ／Ｅ各変換カード１０２に送信する。又、ＣＰＵカード３００は遠端のＷＤＭ′ｓ５４を含め他のシステムの部品と通信することが出来る。
【００２３】
図５にはスプリッタカード３５０が示されている。スプリッタカードには４つの光学ポート３５２，３５４，３５６，３５８がある。光学ポートは、遠端のＷＤＭ′ｓ５４を含め他のシステム部品へのデュアルパス光学信号伝送を提供する。スプリッタカード３５０のリア（rear）は、上記の回路伝送路５６，５７，５８，５９に光学的に接続する。
【００２４】
図６にはＷＤＭ４５２のための別の装置が示されている。上記のＷＤＭ５２と同様に、カードエッジ コネクタ５３０と光学インターフェース６６，６８を有する背面板４６４が設けられている。同様なmux/demux回路６０が遠端の装置へ伝送する光学信号をマルチプレックスする又はデマルチプレックスするために設けられている。ＷＤＭ４５２の１つの相違点は、入力・出力ネイティブ プロトコール信号が、ＷＤＭ４５２のフロント付近ではなく、背面板４６４を介していることである。Ｅ／Ｅ変換カード５０２はネイティブ伝送路５６０，５６２において、ネイティブ プロトコール フォーマットの入力信号を受信し、出力信号を出力する。末端（distal ends）はコネクタ５６４，５６６を規定し、同軸ケーブル（７５オームの同軸ケーブルのような）に接続する。近端（proximal ends）では、Ｅ／Ｅ変換カード５０２の同軸コネクタ５７２，５７４と適合するインターフェース構造が決定される。変換カード５０２はエッジ コンタクト５３２を介して背面板４６４と通信を行う。エッジ コンタクト５３２はエッジ コネクタ５３０と接続する。Ｅ／Ｅコンバータカード５０２における信号変換に必要な電力はエッジ コンタクト５３２を通して供給される。又、制御信号は全て、エッジ コンタクト５３２を介して処理される。Ｅ／Ｅコンバータカード５０２はネイティブ プロトコール メディア信号をコモン信号フォーマット（例えばＮＲＺＩフォーマット）に変換するための回路５５０を有している。又、回路５５０はエッジコンタクト５３２とＯ/Ｅコンバータカード４９２との間の必要なリンク（例えば、電力、コントロールのために）を持つ。Ｅ／Ｅコンバータ カード５０２は、Ｏ/Ｅ変換カード４９２のカードエッジ コネクタ５４４とインターフェースするためにエッジコンタクト５４８を有する。Ｏ/Ｅ変換カード４９２は、コモンフォーマット信号と光学信号との変換のために変換回路４９８を有する。この信号はmux/demux回路６０と通信するためものである。ファイバ オプティク コネクタ５３４、５３６は光学インターフェース６６、６８とインターフェースし、mux/demux回路６０に光学的に接続する。
【００２５】
Ｅ/Ｅ変換カード５０２は、テスト又はネイティブ プロトコール メディア信号にアクセスのためのアクセス回路５８０を有している。このテストアクセスは、モニタリングのために信号の一部を分岐するためにスプリッタ機能を有しても良い。パッチアクセスの場合は、回路伝送路からコネクタ５７２，５７４を完全に取り外して、スイッチジャックのようなスイッチを設けても良い。このようにして、カード５０２への、又は、カード５０２からの信号は、背面板４６４を通さずに、第２の位置へ送ることができる。
【００２６】
電気的インターフェース８０はＯ/Ｅ変換カード９２上のコードを識別する識別特徴（identification feature）を有することが好ましい。これにより適切な波長出力だけが各インターフェース８０に受け入れられる。例えば、ビット位置は、カード エッジ接続回路にハードワイア接続される（hardwired）。このようにして、全システム用の、所望の波長の望ましいＯ／Ｅ変換カード９２が挿入されて使用される。ＣＰＵカード３００は各カード９２のクエリー（queries）を実行するのに使用することができる。このシステムを使うと、間違った波長のカード９２は背面板６４に挿入することはできず、システムの通信障害を起こさせることは無い。
【００２７】
電力入力ポート６２はTelco powerであることが好ましい。Ｏ／Ｅ変換カード９２又はＥ／Ｅ変換カード１０２が必要とする異なる電力は、各カードの上の分離された（isolated）電力コンバータを介して得られる。
【００２８】
ＷＤＭ５２は信号(１６波長)の１６チャネルを有するとして図示されているが、より多い、又はより少ないチャネルが適正に選択された変換回路及びmux/demux回路を使って処理することができる。好ましい実施例において、ローカルＣＰＵとリモートＣＰＵを接続するために少なくとも１つのチャネルが予備に設けられた１８チャネルシステムを設けることが出来る。前記好ましい実施例におけるＷＤＭ５２、５４はＣＷＤＭである。各レーザ間に２０ｎｍの光学的分離（optical separation）がある。２，４，８，１６，２０及び４８+チャネルを持つシステムが適正なＯ/Ｅカード９２で実装される。
【００２９】
伝送路保護（path protection）は、ＷＤＭ mux/demux回路６０の出力側に１つの１：２スプリッタを使って構成される。１つの１：２分割スプリッタは、出力ファイバの電力レベルを、５０％だけ下げる。Ｏ／Ｅ変換カードに関連する各レーザは十分高い光学的送信エネルギー（optical launch power）を有することが好ましい。このために、このシステムが光学スイッチの代わりに伝送路保護のためにスプリッタを使うことができる。これはショートホールアプリケーションのために（for short haul application）特殊なアプリケーションを有する。
【００３０】
上記のシステムにおいては、Ｅ／Ｅ変換カード１０２（適切に選択された）を使って多様なネイティブ プロトコール メディア信号フォーマットをサポートすることができる。光学入力をもサポートすることができ、その場合Ｅ/Ｅ変換カード１０２は光学信号を電気信号（コモンフォーマット信号のような）に変換する。次に、その信号は、Ｏ/Ｅ変換カード９２において、mux/demux回路６０との通信のために適正な光学信号に逆変換される。Ｏ/ＥカードとＥ/Ｅカードとの間の変換機能を分割することにより、シャーシに挿入するのに（to populate）必要なラインカードの数が削減される。
【００３１】
システムが大きくなるにつれて、Ｅ/Ｅ変換カード１０２とＯ/Ｅ変換カード９２を追加することができる。部分的に挿入された(partially populated) シャーシ構造２７０を売ることもできる。システムが大きくなるにつれ、追加のカードを追加することができる。又、アップグレードはＯ/Ｅ変換カード９２又はＥ/Ｅ変換カード１０２の１つを置換することによって簡単に行われる。フィールドの置換可能性（field replaceability）の場合、置換が必要な部品だけが取り除かれ、置換されることが必要である。需要の少ないアプリケーション（例えば、１５５Ｍｂ/ｓより少ない）に対しては低コストオプティクスを使うためにモジュラＯ/Ｅ変換カードが使われる。
【００３２】
システム１０，１２はプロトコール インディペンデントである。Ｅ/Ｅ変換カード１０２は所与のネイティブ プロトコールのために選択される。Ｏ/Ｅ変換カード９２は所望のレーザと光学パフォーマンスを備えている。このシステムは製造及びメンテナンス維持の間に有利である。
【００３３】
好ましいシステムでは送信・受信伝送路を有しているが、別のシステムはそれぞれ近端及び遠端のＷＤＭ５２，５４で送信、受信するだけでよい。例えば、一方向ビデオは各端部で送受信機能を有する必要はない。このシステムでは、対応するマルチプレクサ、デマルチプレクサ部品と伝送路を取り去り、コストを削減することができる。
【００３４】
上記の説明、実施例及びデータは本発明の製造と、使用を完全に説明するものである。本発明の多数の実施例は本発明の思想、技術的範囲から離れることなく構成できるから、本発明は別添の特許請求の範囲に存在する。
【図面の簡単な説明】
【００３５】
【図１】WDM光学システムの第１の好ましい実施例の概略図である。
【図２】WDM光学システムの第２の好ましい実施例の概略図である。
【図３】ＷＤＭ’Ｓの概略図である。
【図４】ＷＤＭ’Ｓのアスペクトの更に詳細な概略図である。
【図５】モジュラーカードを有するＷＤＭ’Ｓの１つの実施例の詳細な斜視図である。
【図６】図４に示す装置に関するＷＤＭ’Ｓのための別の例である。
【図１】
0004746030.tif 000002
【図２】
0004746030.tif 000003
【図３】
0004746030.tif 000004
【図４】
0004746030.tif 000005
【図５】
0004746030.tif 000006
【図６】
0004746030.tif 000007